(57)【要約】【課題】電力源の供給電力と負荷の消費電力の相互関係で変動を伴う電位により負荷に電力を供給するの複数の電圧変換装置の機能において給電される負荷が該電位により自動的に切り替えられ、該切り替えに起因する負荷消費電力の変動に伴う負荷再切替え反復現象を発生しない電源供給システムを実現する。【解決手段】複数の第２電圧変換装置の一部又は全部のそれぞれは、自己に供される電力に係る電位値が低下する過程で電位値がそれぞれ自己の有する所定の電圧値を通過して低下するとき、自己に供する電流を減少させ、微少にさせ、０若しくは無限小にさせ又は自己に供される電力に係る電位値が上昇する過程で、該電位値がそれぞれ自己の有する所定の電圧値を通過して上昇するとき、自己に供する電流を減少状態、微少状態、０若しくは無限小状態から増加に遷移させ、電位値の低下又は上昇を抑制し、制動し又は所定の電位で停止させる電源供給システムを実現する。【選択図】図１
2012165615.tif 000002
【特許請求の範囲】
【請求項１】
外部の発電装置から電力を供給されるべく構成された第１電圧変換装置と、
外部の負荷に電力を供給すべく構成された複数の第２電圧変換装置を備え、
前記複数の第２電圧変換装置は、前記第１電圧変換装置から電力を供給されるべく構成され、
前記複数の第２電圧変換装置の一部又は全部のそれぞれは、
自己に供される電力に係る電位値が低下する過程で、該電位値が、それぞれ該自己の有する所定の電圧値を通過して低下するとき、前記自己に供する電流を減少させ、微少にさせ、０若しくは無限小にさせ、又は、
前記自己に供される電力に係る電位値が上昇する過程で、該電位値が、それぞれ前記自己の有する所定の電圧値を通過して上昇するとき、前記自己に供する電流を減少状態、微少状態、０若しくは無限小状態から増加に遷移させることを特徴とする電源供給システム。
【請求項２】
外部の発電装置から電力を供給されるべく構成された第１電圧変換装置と、
外部の負荷に電力を供給すべく構成された複数の第２電圧変換装置を備え、
前記複数の第２電圧変換装置は、前記第１電圧変換装置から電力を供給されるべく構成され、
前記複数の第２電圧変換装置の一部又は全部のそれぞれは、
自己に供される電力に係る電位値が低下する過程で、該電位値が、それぞれ該自己の有する所定の電圧値の境界近傍に差し掛かるとき、前記自己に供する電流を減少させ、微少にさせ、０若しくは無限小にさせ、又は、
前記自己に供される電力に係る電位値が上昇する過程で、該電位値が、それぞれ前記自己の有する所定の電圧値の境界近傍に差し掛かるとき、前記自己に供する電流を減少状態、微少状態、０若しくは無限小状態から増加に遷移させることを特徴とする電源供給システム。
【請求項３】
外部の発電装置から電力を供給されるべく構成された第１電圧変換装置と、
外部の負荷に電力を供給すべく構成された複数の第２電圧変換装置を備え、
前記複数の第２電圧変換装置は、前記第１電圧変換装置から電力を供給されるべく構成され、
前記複数の第２電圧変換装置の一部又は全部のそれぞれは、
自己に供される電力に係る電位値が低下する過程で、該電位値が、それぞれ該自己の有する所定の電圧値に接近し、さらに該所定の電圧値に漸近するとき、前記自己に供する電流を減少させ、微少にさせ、０若しくは無限小にさせ、又は、
前記自己に供される電力に係る電位値が上昇する過程で、該電位値が、それぞれ前記自己の有する所定の電圧値に接近し、さらに該所定の電圧値に漸近するとき、前記自己に供する電流を減少状態、微少状態、０若しくは無限小状態から増加に遷移させることを特徴とする電源供給システム。
【請求項４】
外部の発電装置から電力を供給されるべく構成された第１電圧変換装置と、
外部の負荷に電力を供給すべく構成された複数の第２電圧変換装置を備え、
前記複数の第２電圧変換装置は、前記第１電圧変換装置から電力を供給されるべく構成され、
前記複数の第２電圧変換装置の一部又は全部のそれぞれは、
自己に供される電力に係る電位値が低下する過程で、該電位値が、それぞれ該自己の有する所定の電圧値に接近するとき、前記自己に供する電流を減少させ、微少にさせ、０若しくは無限小にさせ、又は、
前記自己に供される電力に係る電位値が上昇する過程で、該電位値が、それぞれ前記自己の有する所定の電圧値に接近するとき、前記自己に供する電流を減少状態、微少状態、０若しくは無限小状態から増加に遷移させることを特徴とする電源供給システム。
【請求項５】
外部の発電装置から電力を供給されるべく構成された第１電圧変換装置と、
外部の負荷に電力を供給すべく構成された複数の第２電圧変換装置を備え、
前記複数の第２電圧変換装置は、前記第１電圧変換装置から電力を供給されるべく構成され、
前記複数の第２電圧変換装置の一部又は全部のそれぞれは、
自己に供される電力に係る電位値が低下する過程で、該電位値が、それぞれ該自己の有する所定の電圧値に接近を開始するとき、前記自己に供する電流を減少させ、微少にさせ、０若しくは無限小にさせ、又は、
前記自己に供される電力に係る電位値が上昇する過程で、該電位値が、それぞれ前記自己の有する所定の電圧値に接近を開始するとき、前記自己に供する電流を減少状態、微少状態、０若しくは無限小状態から増加に遷移させることを特徴とする電源供給システム。
【請求項６】
前記電位値が低下又は上昇する過程において、該電位値の該低下又は該上昇を抑制し、制動し又は所定の電位で停止させるべく作用することを特徴とする請求項１〜５のいずれかに記載の電源供給システム。
【請求項７】
前記第１電圧変換装置は、直流−直流電圧変換、又は、交流−直流電圧変換することを特徴とする請求項１〜６のいずれかに記載の電源供給システム。
【請求項８】
前記第２電圧変換装置は、直流−直流電圧変換、又は、直流−交流電圧変換することを特徴とする請求項１〜６のいずれかに記載の電源供給システム。
【発明の詳細な説明】
【技術分野】
【０００１】
本発明は、外部の複数の発電装置の電力を統合し、この電力を外部の複数の負荷に電力を供給するシステムにおいて、負荷個別の電力需要の優先度に応じて無制御、全自動かつ非離散的電位の供給において、負荷への給電状態を遷移させる給電するシステムに関する。
なお、外部とは、本発明外の構成及び装置をいう。  
【背景技術】
【０００２】
従来から、自然エネルギーを利用する太陽光発電装置、風力発電装置などの発電電力を統合し相互補完し、負荷を動作させるシステムが存在する。近年、ＣＯ２削減が世界的に提唱され、これらのシステムの普及が注目されつつある。
自然エネルギーを利用する電力源は、電力供給が安定しないため、各発電装置からの電力を複数の負荷に給電する場合において、発電電力量、各負荷の電力需要量、各負荷への電力供給状況の情報を収集し、これらの情報に基づき、電力源から各負荷への給電経路をＯＮ／ＯＦＦ制御で切り替えるなど各負荷への供給電力を負荷の優先度に応じて調整しているものも存在している。
【０００３】
これらを実現するためには、コンピュータによる複雑な制御が必要（特許文献１には、コンピュータで実行する技術が開示されている。）であり、さらに、上記の切り替え（ＯＮ／ＯＦＦ制御）を行なうと、電力源の電力容量と複数のそれぞれの負荷の消費電力の相互関係により、切り替え後、再切り替えの繰り返し（切り替え前の状態に一旦復帰し、再度、切り替え後の状態に遷移することを繰り返す）が発生し、いわゆる切り替え動作のバタ付きが発生することがある。これでは、負荷の動作が不安定となる。
【先行技術文献】
【特許文献】
【０００４】
【特許文献１】特開平２０１０−１７８４５５号公報
【発明の概要】
【発明が解決しようとする課題】
【０００５】
特許文献１の段落「００２２」には以下の記載がある。
「機能パッケージ３は、機能パッケージ３自身が必要とする供給電圧種（供給電圧Ａ、供給電圧Ｂ、供給電圧Ｃ、及び供給電圧Ｄ）の情報と、負荷に供給する電流容量の情報と（以下、これらの２つの情報を合わせて電圧電流情報という）を格納する電圧電流情報格納手段３０を備えている。」
【０００６】
特許文献１の段落「００２３」には以下の記載がある。
「電源供給パッケージ２は、電源Ａ、電源Ｂ、及び電源Ｄの３種類の電源を搭載し、機能パッケージ３の電圧電流情報格納手段３０から受信した電圧電流情報に基づいて、機能パッケージ３で要求される電圧電流を供給可能な電源を選択して、機能パッケージ３へ所望の電圧電流を供給するための給電経路選択手段２０と、電源供給パッケージ２の電源電圧（第１の電圧）を機能パッケージ３が必要とする供給電圧（第２の電圧）に変換するための変換器（変換手段）１０，１１と、機能パッケージ３の供給電圧種（供給電圧Ａ、供給電圧Ｂ、供給電圧Ｃ、及び供給電圧Ｄ）ごとに電流の供給を行う供給ライン４０、４１、４２、４３、４４とを備えている。」
【０００７】
特許文献１では、給電経路選択手段２０を動作させるために、電圧電流情報格納手段３０が必須であり、そのためには、あらかじめ電圧電流情報格納手段３０に必要な情報を格納することも必須である。
【０００８】
特許文献１では、電圧電流情報格納手段３０必要な情報を誤って格納した場合、給電経路選択手段２０に期待する所望の動作が得られない。
また、コンピュータソフトウェアにバグが存在する場合も誤動作が発生し、ソフトウェアのデバッグにも多大な労力を費やすものとなる。
【０００９】
上記の現状に鑑み、本発明は、供給する電力が限定された電力源から負荷への給電を負荷の電力需要の優先順位に基づき、無制御かつ自動的に行なうことを実現したものである。
さらに、優先順位の低い負荷への給電が停止されるとき、非離散的電位（給電電位の滑らかな変化）の供給において負荷への給電状態を遷移させるため、従来技術で見られる負荷への給電の停止／開始に起因する供給電位の変動に伴ういわゆる負荷の動作／停止のバタ付き（負荷への給電／非給電の継続的反復動作）が発生しない。
【課題を解決するための手段】
【００１０】
上記の目的を実現するべく本発明は以下の構成とする。
（１）請求項１に係る電源供給システムは、
外部の発電装置から電力を供給されるべく構成された第１電圧変換装置と、
外部の負荷に電力を供給すべく構成された複数の第２電圧変換装置を備え、
前記複数の第２電圧変換装置は、前記第１電圧変換装置から電力を供給されるべく構成され、
前記複数の第２電圧変換装置の一部又は全部のそれぞれは、
自己に供される電力に係る電位値が低下する過程で、該電位値が、それぞれ該自己の有する所定の電圧値を通過して低下するとき、前記自己に供する電流を減少させ、微少にさせ、０若しくは無限小にさせ、又は、
前記自己に供される電力に係る電位値が上昇する過程で、該電位値が、それぞれ前記自己の有する所定の電圧値を通過して上昇するとき、前記自己に供する電流を減少状態、微少状態、０若しくは無限小状態から増加に遷移させることを特徴とする。
（２）請求項２に係る電源供給システムは、
外部の発電装置から電力を供給されるべく構成された第１電圧変換装置と、
外部の負荷に電力を供給すべく構成された複数の第２電圧変換装置を備え、
前記複数の第２電圧変換装置は、前記第１電圧変換装置から電力を供給されるべく構成され、
前記複数の第２電圧変換装置の一部又は全部のそれぞれは、
自己に供される電力に係る電位値が低下する過程で、該電位値が、それぞれ該自己の有する所定の電圧値の境界近傍に差し掛かるとき、前記自己に供する電流を減少させ、微少にさせ、０若しくは無限小にさせ、又は、
前記自己に供される電力に係る電位値が上昇する過程で、該電位値が、それぞれ前記自己の有する所定の電圧値の境界近傍に差し掛かるとき、前記自己に供する電流を減少状態、微少状態、０若しくは無限小状態から増加に遷移させることを特徴とする。
（３）請求項３に係る電源供給システムは、
外部の発電装置から電力を供給されるべく構成された第１電圧変換装置と、
外部の負荷に電力を供給すべく構成された複数の第２電圧変換装置を備え、
前記複数の第２電圧変換装置は、前記第１電圧変換装置から電力を供給されるべく構成され、
前記複数の第２電圧変換装置の一部又は全部のそれぞれは、
自己に供される電力に係る電位値が低下する過程で、該電位値が、それぞれ該自己の有する所定の電圧値に接近し、さらに該所定の電圧値に漸近するとき、前記自己に供する電流を減少させ、微少にさせ、０若しくは無限小にさせ、又は、
前記自己に供される電力に係る電位値が上昇する過程で、該電位値が、それぞれ前記自己の有する所定の電圧値に接近し、さらに該所定の電圧値に漸近するとき、前記自己に供する電流を減少状態、微少状態、０若しくは無限小状態から増加に遷移させることを特徴とする。
（４）請求項４に係る電源供給システムは、
外部の発電装置から電力を供給されるべく構成された第１電圧変換装置と、
外部の負荷に電力を供給すべく構成された複数の第２電圧変換装置を備え、
前記複数の第２電圧変換装置は、前記第１電圧変換装置から電力を供給されるべく構成され、
前記複数の第２電圧変換装置の一部又は全部のそれぞれは、
自己に供される電力に係る電位値が低下する過程で、該電位値が、それぞれ該自己の有する所定の電圧値に接近するとき、前記自己に供する電流を減少させ、微少にさせ、０若しくは無限小にさせ、又は、
前記自己に供される電力に係る電位値が上昇する過程で、該電位値が、それぞれ前記自己の有する所定の電圧値に接近するとき、前記自己に供する電流を減少状態、微少状態、０若しくは無限小状態から増加に遷移させることを特徴とする。
（５）請求項５に係る電源供給システムは、
外部の発電装置から電力を供給されるべく構成された第１電圧変換装置と、
外部の負荷に電力を供給すべく構成された複数の第２電圧変換装置を備え、
前記複数の第２電圧変換装置は、前記第１電圧変換装置から電力を供給されるべく構成され、
前記複数の第２電圧変換装置の一部又は全部のそれぞれは、
自己に供される電力に係る電位値が低下する過程で、該電位値が、それぞれ該自己の有する所定の電圧値に接近を開始するとき、前記自己に供する電流を減少させ、微少にさせ、０若しくは無限小にさせ、又は、
前記自己に供される電力に係る電位値が上昇する過程で、該電位値が、それぞれ前記自己の有する所定の電圧値に接近を開始するとき、前記自己に供する電流を減少状態、微少状態、０若しくは無限小状態から増加に遷移させることを特徴とする。
（６）請求項６に係る電源供給システムは、請求項１〜５のいずれかにおいて、
前記電位値が低下又は上昇する過程において、該電位値の該低下又は該上昇を抑制し、制動し又は所定の電位で停止させるべく作用することを特徴とする。
（７）請求項７に係る電源供給システムは、請求項１〜６のいずれかにおいて、
前記第１電圧変換装置は、直流−直流電圧変換、又は、交流−直流電圧変換することを特徴とする。
（８）請求項８に係る電源供給システムは、請求項１〜６のいずれかにおいて、
前記第２電圧変換装置は、直流−直流電圧変換、又は、直流−交流電圧変換することを特徴とする。
【発明の効果】
【００１１】
（Ａ）本発明による電源供給システムは、限定された発電電力を負荷に供給する状況において、負荷に優先順位を付して給電（減少状態、微少状態、０若しくは無限小状態から増加に遷移させ）／非給電（減少させ、微少にさせ、０若しくは無限小にさせ）するため、発電電力を有効に配分することを可能とする。
（Ｂ）本発明による電源供給システムは、発電電力と負荷消費電力との相互関係において変動する電位を入力し負荷に給電する電圧変換装置において、自己に設定されている負荷優先順位に基づき定められる所定の電圧値により、自己に入力される電位値と所定の電圧値を比較判別（一例として、該電位値が、それぞれ該自己の有する所定の電圧値を通過して低下するとき）し、自己の配下の負荷への給電（減少状態、微少状態、０若しくは無限小状態から増加に遷移させ）／非給電（減少させ、微少にさせ、０若しくは無限小にさせ）することができるため、予め定められた優先順位に基づき無制御で負荷への給電を配分できる。
（Ｃ）本発明による電源供給システムは、電圧変換装置において、自己に設定された所定の電圧値に基づき自己の配下の負荷への給電／非給電するとき、自己への入力電流を減少／増加させ自己への入力電位を非離散的（滑らか）に低下／上昇させる。
（Ｄ）本発明による電源供給システムは、上記の動作により、電圧変換装置において、配下の負荷への給電／非給電するとき、自己への入力電位をオーバーシューティング（終着電位に対する過度な電位乖離）させない。したがって、負荷への給電／非給電に起因し、負荷への給電／非給電の反復動作が発生しない。
【図面の簡単な説明】
【００１２】
【図１】は、本発明による電源供給システムの実施の形態を示す模式的システム構成図である。
【発明を実施するための形態】
【００１３】
（１）実施の形態
（１−１）システム構成
図１において破線で囲まれたＰＳＳは、本発明による実施の形態である電源供給システムＰＳＳのシステム構成を示す模式図である。また、図１はさらに本発明外要素を含むシステムの模式図でもある。
【００１４】
以下、図１を参照して本発明のシステム構成を説明する。
破線で囲まれたＣＶ１は第１のコンバータ群ＣＶ１、破線で囲まれたＣＶ２は第２のコンバータ群ＣＶ２、破線で囲まれたＳＴは蓄電部ＳＴ、破線で囲まれたＯＲＤはダイオード群ＯＲＤ、ＢＬはバスライン（母線）ＢＬを示す。
【００１５】
本発明の電源供給システムＰＳＳは、第１のコンバータ群ＣＶ１、第２のコンバータ群ＣＶ２及び蓄電部ＳＴを含んで構成され、ダイオード群ＯＲＤ及びバスラインＢＬは必要に応じて備えられる。なお、蓄電部ＳＴも本発明の電源供給システムＰＳＳに必須要素ではなく、必要に応じて備えられてもよい。
【００１６】
図１に示す第１のコンバータ群ＣＶ１は、一例として、第１直流電圧変換装置である装置Ｄ／Ｄ＃１及び装置Ｄ／Ｄ＃２並びに第１交流直流電圧変換装置であるＡ／Ｄ＃１及びにＡ／Ｄ＃２を含んで構成される。
以下の説明において、これらの総称を各コンバータ１又は各装置１、また、それらを個別には、コンバータ１又は装置１と称す場合がある。
特許請求の範囲では、それらの個々をすべて総称して第１電圧変換装置と称する。
【００１７】
図１に示す第２のコンバータ群ＣＶ２は、一例として、第２直流電圧変換装置である装置Ｄ／Ｄ１及び装置Ｄ／Ｄ２並びに第２直流交流電圧変換装置である装置Ｄ／Ａ１及び装置Ｄ／Ａ２を含んで構成される。
以下の説明において、これらの総称を各コンバータ２又は各装置２、また、それらを個別には、コンバータ２又は装置２と称す場合がある。
特許請求の範囲では、それらの個々をすべて総称して第２電圧変換装置と称する。
【００１８】
図１を正視して、各コンバータ１の左側が電力入力部であり、右側が電力出力部であり、各電力入力部を入力部１（符号による図示なし）、各電力出力部を出力部１（符号による図示なし）と称する。
同様に、各コンバータ２の左側が電力入力部であり、右側が電力出力部であり、各電力入力部を入力部２（符号による図示なし）、各電力出力部を出力部２（符号による図示なし）と称する。
【００１９】
ダイオード群ＯＲＤは、一例として、整流素子であるダイオードＤ１、ダイオードＤ２、ダイオードＤ３及びダイオードＤ４を含んで構成され、第１のコンバータ群ＣＶ１の各コンバータ１をバスラインＢＬにＯＲｉｎｇ（並列）接続するため、各ダイオードＤ１〜Ｄ４のアノードがそれぞれ各コンバータ１の出力部１に接続され、各ダイオードＤ１〜Ｄ４のそれぞれのカソードはバスラインＢＬに接続されている。
【００２０】
第１のコンバータ群ＣＶ１の各コンバータ１のいずれか又は全部に、その内部において、ダイオード群ＯＲＤに存在する整流素子と同様に整流機能を有するディバイスを内蔵する場合、当該コンバータ１の出力部１に接続されるダイオードＤ１〜Ｄ４のいずれか又は全部は不要である。
【００２１】
蓄電部ＳＴは蓄電池Ｂを充電する充電装置Ｃｈ、蓄電池Ｂ、整流素子であるダイオードＤ５を含む。
充電装置Ｃｈは入力部ｉｎ、出力部ｏｕｔを備える。入力部ｉｎはバスラインＢＬに接続されている。
蓄電池Ｂの入出力部（図１を正視して左側）には、充電装置Ｃｈの出力部ｏｕｔ及びダイオードＤ５のアノードが接続され、ダイオードＤ５のカソードはバスラインＢＬに接続されている。
【００２２】
破線で囲まれたＧＥは、外部の（発明外）の発電装置群ＧＥであり、本電源供給システムＰＳＳに電力を供給する。
発電装置群ＧＥの各発電装置Ｇ１〜Ｇ４のそれぞれの出力部（図１を正視して右側）は独立してそれぞれ各コンバータ１の入力部１に個別に接続されている。
なお、図示しないが、各コンバータ１（直流電力入力用）の入力部１のいずれか又は全部に各発電装置（直流電力出力用）のいずれか若しくは全部又は別の発電装置（直流電力出力用）を並列接続することもできる。これは、発電装置とコンバータ１の取り扱え得る電力容量による。
並列接続する場合、発電装置の出力部とコンバータ１の入力部１との間に整流素子を接続する必要がある場合がある。この整流素子は、前述のダイオード群ＯＲＤ内の各整流素子と同一の機能である。なお、この構成で複数の発電装置をコンバータ１に並列接続する場合は、それぞれの発電装置の出力電圧は同程度が好ましい。
【００２３】
以下、発電装置群ＧＥの各発電装置について、一例を示す。
Ｇ１は太陽光発電装置Ｇ１、Ｇ２は風力発電装置Ｇ２、Ｇ３は燃料電池発電装置Ｇ３、Ｇ４はその他の交流出力発電装置Ｇ４（水力発電装置など）である。
発電装置群ＧＥには、自然エネルギーを利用する発電装置の割合が多く、自然環境により発電電力が変動する。
【００２４】
破線で囲まれたＬＤは、外部の（発明外）の負荷群ＬＤであり、本電源供給システムＰＳＳから電力を供給される。
一例として、負荷群ＬＤには、交流負荷ＬＡ１、直流負荷Ｌ１１、直流負荷Ｌ１２、直流負荷Ｌ２１、直流負荷Ｌ２２、交流負荷ＬＡ２１及び交流負荷ＬＡ２２が存在する。
これらの負荷ＬＡ１〜ＬＡ２２を単に負荷（個別的に）又は各負荷（総称して）と称す場合がある。
【００２５】
第２のコンバータ群ＣＶ２の各コンバータ２のそれぞれの入力部２は、バスラインＢＬに接続され、各コンバータ２の出力部２は、それぞれ独立して負荷群ＬＤのそれぞれの負荷（複数又は単数構成）に個別に接続される。
【００２６】
以下、負荷群ＬＤの各負荷の概要等について、一例を示す。
負荷ＬＡ１は系統連系用のインバータであり、装置Ｄ／Ａ１の出力部２に接続され系統に負荷消費の余剰電力を送電する。
負荷Ｌ１１及びＬ１２は最重要の負荷であり、装置Ｄ／Ｄ１の出力部２に接続され給電を保証すべき対象である。
負荷Ｌ２１及びＬ２２は準重要の負荷であり、装置Ｄ／Ｄ２の出力部２に接続され給電を継続したい対象である。
負荷ＬＡ２１及びＬＡ２２は、装置Ｄ／Ａ２の出力部２に接続され給電が停止されても特に支障を来さない対象である。
【００２７】
このように、負荷群ＬＤの各負荷には、給電される優先順位が予め決定されている。
発電装置群ＧＥの供給電力は、自然エネルギーから供給される割合が多く、発電エネルギーが限定されているなかで、自然環境の変動により供給できる電力が変動するためである。したがって、各負荷の重要度により各負荷に配分される電力の優先順位が付される。
各負荷に付される優先順位は、各負荷に電力を供給する第２のコンバータ群ＣＶ２の各コンバータ２の設定による。これは、需要者の任意選択により決定される事項であり、決定後の変更も可能である。
【００２８】
各コンバータ２には、総供給電力と総需要電力の相互関係により変動するバスラインＢＬ電位を検知し、この電位の変動を抑制等するため、バスラインＢＬから各コンバータ２の入力部２への入力電流を制御するための所定の電圧値が設定されている。
【００２９】
このように、各コンバータ２が有する所定の電圧値と各コンバータ２の入力部２におけるバスラインＢＬ電位を比較し、各コンバータ２は自己の入力部２への流入電流を制御する仕組みが施されている。
すなわち、各コンバータ２は、バスラインＢＬ電位を検知し、自己の出力部２に接続されている負荷への供給電力を低減又は増加させる。
【００３０】
この所定の電圧値とバスラインＢＬ電位の関係により、各負荷は動作可能か否かが決定される。この所定の電圧値が小さいほど、また、バスラインＢＬ電位が高いほど、各コンバータ２は自己の配下にある負荷に安定した給電が可能である。
【００３１】
なお、蓄電池Ｂは、放電時において発電装置群ＧＥの一部として、充電時においては負荷群ＬＤの一部として振る舞う。
充電装置Ｃｈは、負荷群ＬＤの一部に相当するが自己の消費電力は、本システムの動作の本質に影響を与えないため無視する。充電装置Ｃｈは蓄電池Ｂを定電流充電し、蓄電池Ｂが満充電となると充電を停止する。
【００３２】
ダイオード群ＯＲＤの各ダイオード及びダイオードＤ５の順方向電圧降下については、本発明の本質ではないため、本システムの各部の電位を論じる場合、これを無視する。
【００３３】
なお、図１の例で、各装置１の出力部１から各装置２の入力部２への電流路は、正極性電位の電流路のみで表しており、負極性電位の電流路は省略している。図１は、正極性電位で動作させる例であるが、各装置１、２間の電流路を負極性電位とし、各装置１の出力電位，各装置２の入力電位及び各ダイオードの順方向電圧極性を逆極性とし、本システムを負極性電流路として動作させてもよい。
【００３４】
発電装置群ＧＥと第１のコンバータ群ＣＶ１を併せて発電装置系又は発電系、負荷群ＬＤと第２のコンバータ群ＣＶ２を併せて負荷装置系又は負荷系と称す場合がある。
蓄電池Ｂは、自己の電力容量、発電系の総供給電力及び負荷系の総消費電力の相互関係において、発電系（放電時）又は負荷系（充電時）になり得る。また、どちらにも属さない（充放電しない。）場合も存在する。
【００３５】
なお、本システムの動作について説明するとき、第１のコンバータ群ＣＶ１及び第２のコンバータ群ＣＶ２の電圧変換等に係る効率については、本システムの動作の本質に影響を与えないため無視する。
【００３６】
（１−２）システム動作
図１を参照して本発明の実施の形態である電源供給システムＰＳＳ及びこれと関連する外部の装置（発電装置群ＧＥ及び負荷群ＬＤ）の動作を説明する。
【００３７】
（１−２−１）発電系の動作の概要
発電装置群ＧＥの出力電力は第１のコンバータ群ＣＶ１に以下のように入力される。
外部の発電装置Ｇ１の出力部の発電電力は、装置Ｄ／Ｄ＃１の入力部１に入力され、
外部の発電装置Ｇ２の出力部の発電電力は、装置Ａ／Ｄ＃１の入力部１に入力され、
外部の発電装置Ｇ３の出力部の発電電力は、装置Ｄ／Ｄ＃２の入力部１に入力され、
外部の発電装置Ｇ４の出力部の発電電力は、装置Ａ／Ｄ＃２の入力部１に入力される。
ただし、発電装置群ＧＥの各発電装置のすべてが、電力を出力するとは限らず、自然環境及び／又は人為的作為により、いずれか一部又は全部の発電装置の電力が出力されない場合がある。この場合、蓄電部ＳＴの蓄電池Ｂにより電力が供給されるが、本発明においては、これを割愛する。
【００３８】
装置Ｄ／Ｄ＃１及び装置Ｄ／Ｄ＃２は、入力された直流電圧を直流に電圧変換し、装置Ａ／Ｄ＃１及びＡ／Ｄ＃２は、入力された交流電圧を直流に電圧変換し、バスラインＢＬに略同一の直流電位を出力するよう制御される。
【００３９】
発電装置群ＧＥには、自然エネルギーを利用する太陽光発電装置、風力発電装置などが含まれ、自然環境により発電電力が変動する。
発電装置群ＧＥに、燃料電池発電装置が含まれ、経済的な要因により発電電力を制限することがあり発電電力が変動する。
【００４０】
発電装置群ＧＥの各発電装置Ｇ１、Ｇ２、Ｇ３及びＧ４の出力電圧は、その発電装置の特性に任せることができる。該出力電圧をそれぞれＶｇ１、Ｖｇ２、Ｖｇ３、Ｖｇ４とする。これらの出力電圧は相違していてもよい。
【００４１】
発電装置群ＧＥの各発電装置の出力部はそれぞれ独立して、個別に各装置１の入力部１に接続されているため、各発電装置それぞれの出力電圧Ｖｇ１、Ｖｇ２、Ｖｇ３、Ｖｇ４を各装置１の電圧変換機能により、各装置１のそれぞれの出力電位Ｖ１、Ｖ２、Ｖ３、Ｖ４として出力することが可能である。
【００４２】
上記各装置１の出力電位は、Ｖ１≒Ｖ２≒Ｖ３≒Ｖ４となるように制御される。したがって、Ｖｇ１〜Ｖｇ４の電圧は均等を要しない。
【００４３】
負荷系が、バスラインＢＬに供給される電力を消費することにより、バスラインＢＬ電位が低下するため各ダイオードは導通する。
各装置１の出力部１の出力電位はそれぞれ、ダイオード群ＯＲＤの各ダイオードＤ１〜Ｄ４を介して、バスラインＢＬに伝達されることになる。すなわち、各装置１の出力部１の出力電力は、バスラインＢＬに伝達される。
各装置１は、いわゆるＤＣ／ＤＣコンバータ又はＡＣ／ＤＣコンバータであり、自己の出力電位を一定に保持すべく制御されているが、発電系の総供給電力と負荷系の総消費電力の相互関係で決まり該出力電位は不定である。すなわち、該相互関係に依存しバスラインＢＬ電位は変動する。
負荷系の総消費電力が発電系の総供給電力を上回れば、その程度に応じて各装置１の出力電位は低下する。負荷系の総消費電力が一定の場合でも、発電系の総供給電力が低下した場合も同様である。また、この逆も当然あり得る。
上記バスラインＢＬ電位の変動は、後述する「（１−２−２）負荷系の動作の概要」の説明における第２のコンバータ群ＣＶ２の制御がない場合の自然の状態に任せた事象である。
【００４４】
（１−２−２）負荷系の動作の概要
第２のコンバータ群ＣＶ２の出力電力は負荷群ＬＤに以下のように入力される。
バスラインＢＬの電位（電力）は、各装置２の入力部２に入力され、各装置２は入力電位を変換し自己の配下の負荷に電力を出力する。各装置２は入力電位を変換するものであるが、変換動作を行なっても結果的に電位の変換がされないときもある。
装置Ｄ／Ａ１の電力は、直流−交流電圧変換され出力部２から負荷ＬＡ１に供給される。
装置Ｄ／Ｄ１の電力は、直流−直流電圧変換され出力部２から負荷Ｌ１１及び負荷Ｌ１２に供給される。
装置Ｄ／Ｄ２の電力は、直流−直流電圧変換され出力部２から負荷Ｌ２１及び負荷Ｌ２２に供給される。
装置Ｄ／Ａ２の電力は、直流−交流電圧変換され出力部２から負荷ＬＡ２１及び負荷ＬＡ２２に供給される。
【００４５】
バスラインＢＬから各装置２に供給される電力に係る電位が、装置２が有する所定の電圧値に対して充分な電位である場合、当該装置２は自己に接続されている負荷に定格電力を供給する。
（Ａ1）各装置２は、いわゆるＤＣ／ＤＣコンバータ又はＤＣ／ＡＣコンバータであり、自己の出力電力を負荷定格消費電力の範囲に適合すべく制御されている一方で、他方バスラインＢＬ電位Ｖｂが低下すると、その低下程度及びＶｂに対する自己への入力電流の制御の方法の多様性に応じて、自己に流入する電流量を減少させ、微少にさせ、０又は無限小にさせるように制御されている。
結果として、装置２から負荷への出力電力が減少し、微少となり、０又は無限小となる。
上記、Ｖｂの低下は、Ｖｂｈの電位範囲においてＶｂが低下する場合、Ｖｂｈの電位から、Ｖｂｕとなる電位にＶｂが低下する場合、Ｖｂｕの電位から、さらにＶｂが低下する場合、とが存在する。また、前述のＶｂの低下は、後述するＶｔｈとの関係にもよる。
（Ａ1−２）定義
次に掲げる用語の意義は、以下に定めるところによるものとする。
（ａ）「Ｖｂ」又は「電位値」：バスラインＢＬ電位Ｖｂ（不定の電位であり、装置２の制御の方法の多様性及び発電系の総供給電力と負荷系の総消費電力の相互関係で決まる。）
（ｂ）「Ｖｂｈ」：装置２の定格動作範囲における電位を供給できるバスラインＢＬ電位Ｖｂ以上の電位（この電位は、装置２の制御の方法の多様性及び発電系の総供給電力と負荷系の総消費電力の相互関係で決まる。すなわち、装置２個々とそれに接続されている負荷個々によって様々な値をとる。バスラインＢＬ電位Ｖｂの高低とは別のもの。）
（ｃ）「Ｖｂｕ」：装置２の定格動作範囲における電位を供給できるバスラインＢＬ電位Ｖｂ未満の電位（この電位は、装置２の制御の方法の多様性及び発電系の総供給電力と負荷系の総消費電力の相互関係で決まる。すなわち、装置２個々とそれに接続されている負荷個々によって様々な値をとる。バスラインＢＬ電位Ｖｂの高低とは別のもの。）
（ｄ）「Ｖｔｈ」：装置２が有する所定の電圧値であり装置２が有するスレッショルド電圧Ｖｔｈ
（ｅ）「Ｉｉｎ」：装置２（自己）への入力電流
（ｆ）「装置２が有する制御の方法の多様性」：これは、Ｖｔｈに基づき制御するものであり、制御の方法は、ＶｂをＸ軸、ＩｉｎをＹ軸にとった場合のＶｂの変化に対するＩｉｎの変化を表す直線又は曲線の形状、傾き等を決めて行なうものであり、この制御の結果、Ｉｉｎの変化量／変化速度により、Ｖｂの変動を制動することにおいて多様性に富む。    上記のとおり線形／非線形の制御が存在する。
（ｇ）「所定の電位」：主に装置２が有する制御の方法の多様性により決定される電位であり、制御の方法の多様性によっては、発電系の総供給電力と負荷系の総消費電力とのバランスにも起因する。電位の絶対値は、需要者の選択要求事項である。
（ｈ）「制動」：Ｖｂ（＝電位値）の低下を抑制し、制動し又は所定の電位で停止させる概念のすべてを含む。
（ｉ）以下は補足事項：「Ｖｂｈ」、「Ｖｂｕ」は「Ｖｔｈ」に関連するが、これらは「Ｖｔｈ」により一律に決まるものではない。
（Ａ２）各装置２は、上記（Ａ１）、（Ａ1−２）に記載の自己の有する制御の方法の多様性によりにより、Ｉｉｎを減少させ、微少にさせ、０又は無限小にさせ、Ｖｂの低下を抑制、制動する作用を有する。すなわち、各装置２は、Ｖｂをある不定の電位低下をさせたころで電位の低下を留まらせる。
（Ａ３）さらに、各装置２は、Ｖｂが低下しようとすると、上記（Ａ１）、（Ａ1−２）に記載の自己の有する制御の方法の多様性により、Ｉｉｎを減少させ、微少にさせ、０又は無限小にさせ、Ｖｂを現状の電位（Ｖｂの低下なし）に留まらせる（停止）作用を有する。
（Ａ４）Ｖｂが低下しようとする上記（Ａ１）〜（Ａ３）において、装置２の制御の多様性により、発電系の総供給電力＝負荷系の総消費電力としたバランスをとる。これにより、Ｖｂの電位低下の抑制、制動、停止を実行する。
また、発電系の総供給電力＞負荷系の総消費電力であっても、装置２の制御の多様性により、装置２がＩｉｎを減少させ、微少にさせ、０又は無限小にさせ、これにより、Ｖｂの電位低下の抑制、制動、停止を実行することも可能である。この（Ａ１）〜（Ａ４）の制御の方法の多様性は、需要者の自由の選択に任せる。
すなわち、発電電力に余裕があると、発電系の総供給電力＝負荷系の総消費電力でバランスをとる必要もなく、Ｖｂの電位低下を抑制、制動、停止を実行することが可能である。
（Ｂ１）また、Ｖｂが上昇方向に回復、すなわち、ＶｂがＶｂｕの範囲において上昇するとき、ＶｂがＶｂｕからＶｂｈに回復するとき、ＶｂがＶｂｈからさらに上昇するとき、その上昇程度及び前述した装置２の制御の方法の多様性に応じて、各装置２への流入する電流を減少状態、微少状態、０又は無限小状態から増加に遷移させるように制御されている。結果として、装置２から負荷への出力電力が減少状態、微少状態、０又は無限小状態から増加に遷移する。
前述のＶｂの上昇は、後述するＶｔｈとの関係にもよる。
この制御の方法の多様性により、以下（１−１）〜（５−２）のとおり各種の作用を実現できる。
（１−１）装置２が有する所定の電圧値（電圧Ｖｔｈ）より高いバスラインＢＬ電位Ｖｂ（電位値）が低下する過程で、電圧Ｖｔｈを通過して低下するとき、当該装置２は、自己（当該装置２）に流入する電流を減少させ、微少にさせ、０又は無限小にさせ、結果として自己に接続されている負荷への給電が減少、微少、０又は無限小となる。この自己への流入電流（Ｉｉｎ）の変動過程で、装置２は電位値の低下を抑制し、制動し又は所定の電位で停止させることが可能である。
負荷への給電が微少、０又は無限小となると、装置２はバスラインＢＬに接続されていないものと同様な状態となる。
（１−２）逆に電圧Ｖｔｈより低下した状態にある電位値が上昇する過程で、電圧Ｖｔｈを通過して上昇するとき、装置２は、自己に流入する電流（Ｉｉｎ）を減少状態、微少状態、０又は無限小状態から増加に遷移させ、結果として自己に接続されている負荷への給電が減少状態、微少状態、０又は無限小状態から増加に転ずる。この自己への流入電流（Ｉｉｎ）の変動過程で、装置２は電位値の上昇を抑制し、制動し又は所定の電位で停止させることが可能である。
（２−１）電圧Ｖｔｈより高い電位値が低下する過程で、電圧Ｖｔｈの境界近傍に差し掛かるとき、装置２は、自己に流入する電流を減少させ、微少にさせ、０又は無限小にさせ、結果として自己に接続されている負荷への給電が減少、微少、０又は無限小となる。このＩｉｎの変動過程で、装置２は電位値の低下を抑制し、制動し又は所定の電位で停止させることが可能である。
負荷への給電が微少、０又は無限小となると、装置２はバスラインＢＬに接続されていないものと同様な状態となる。
（２−２）逆に電圧Ｖｔｈより低下した状態にある電位値が上昇する過程で、電圧Ｖｔｈの境界近傍に差し掛かるとき、装置２は、自己に流入する電流を減少状態、微少状態、０又は無限小状態から増加に遷移させ、結果として自己に接続されている負荷への給電が減少状態、微少状態、０又は無限小状態から増加に転ずる。このＩｉｎの変動過程で、装置２は電位値の上昇を抑制し、制動し又は所定の電位で停止させることが可能である。
（３−１）電圧Ｖｔｈより高い電位値が、電圧Ｖｔｈに接近し、さらに電圧Ｖｔｈに漸近するとき、装置２は、自己に流入する電流を減少させ、微少にさせ、０又は無限小にさせ、結果として自己に接続されている負荷への給電が減少、微少、０又は無限小となる。このＩｉｎの変動過程で、装置２は電位値の低下を抑制し、制動し又は所定の電位で停止させることが可能である。
負荷への給電が微少、０又は無限小となると、装置２はバスラインＢＬに接続されていないものと同様な状態となる。
（３−２）逆に電圧Ｖｔｈより低下した状態にある電位値が上昇する過程で、電圧Ｖｔｈに接近し、さらに電圧Ｖｔｈに漸近するとき、装置２は、自己に流入する電流を減少状態、微少状態、０又は無限小状態から増加に遷移させ、結果として自己に接続されている負荷への給電が減少状態、微少状態、０又は無限小状態から増加に転ずる。このＩｉｎの変動過程で、装置２は電位値の抑制し、制動し又は所定の電位で停止させることが可能である。
（４−１）電圧Ｖｔｈより高い電位値が、電圧Ｖｔｈに接近するとき、装置２は、自己に流入する電流を減少させ、微少にさせ、０又は無限小にさせ、結果として自己に接続されている負荷への給電が減少、微少、０又は無限小となる。このＩｉｎの変動過程で、装置２は電位値の低下を抑制し、制動し又は所定の電位で停止させることが可能である。
負荷への給電が微少、０又は無限小となると、装置２はバスラインＢＬに接続されていないものと同様な状態となる。
（４−２）逆に電圧Ｖｔｈより低下した状態にある電位値が上昇する過程で、電圧Ｖｔｈに接近するとき、装置２は、自己に流入する電流を減少状態、微少状態、０又は無限小状態から増加に遷移させ、結果として自己に接続されている負荷への給電が減少状態、微少状態、０又は無限小状態から増加に転ずる。このＩｉｎの変動過程で、装置２は電位値の上昇を抑制し、制動し又は所定の電位で停止させることが可能である。
（５−１）電圧Ｖｔｈより高い電位値が、電圧Ｖｔｈに接近を開始するとき、装置２は、自己に流入する電流を減少させ、微少にさせ、０又は無限小にさせ、結果として自己に接続されている負荷への給電が減少、微少、０又は無限小となる。このＩｉｎの変動過程で、装置２は電位値の低下を抑制し、制動し又は所定の電位で停止させることが可能である。
負荷への給電が微少、０又は無限小となると、装置２はバスラインＢＬに接続されていないものと同様な状態となる。
（５−２）逆に電圧Ｖｔｈより低下した状態にある電位値が上昇する過程で、電圧Ｖｔｈに接近を開始するとき、装置２は、自己に流入する電流を減少状態、微少状態、０又は無限小状態から増加に遷移させ、結果として自己に接続されている負荷への給電が減少状態、微少状態、０又は無限小状態から増加に転ずる。このＩｉｎの変動過程で、装置２は電位値の上昇を抑制し、制動し又は所定の電位で停止させることが可能である。
【００４６】
一例として、各装置２が有する「所定の電圧値」は以下のように分類され設定される。各装置２の有する所定の電圧値の総称をスレッショルド電圧Ｖｔｈとし、各装置２のスレッショルド電圧Ｖｔｈを個別に、Ｖｄｄ１、Ｖｄｄ２、Ｖｄａ２、Ｖｄａ１とし以下に示す。
（１）Ｖｄｄ１：最重要機器である負荷Ｌ１１及びＬ１２に給電する装置Ｄ／Ｄ１に設定される。
（２）Ｖｄｄ２：準重要機器である負荷Ｌ２１及びＬ２２に給電する装置Ｄ／Ｄ２に設定される。
（３）Ｖｄａ２：電力の供給が途絶えても特に支障のない機器である負荷ＬＡ２１及びＬＡ２２に給電する装置Ｄ／Ａ２に設定される。
（４）Ｖｄａ１：系統連系するインバータである負荷ＬＡ１に給電する装置Ｄ／Ａ１に設定される。
【００４７】
上記一例において、スレッショルド電圧Ｖｔｈの大小関係の順列を、Ｖｄｄ１＜Ｖｄｄ２＜Ｖｄａ２＜Ｖｄａ１とする。
【００４８】
負荷群ＬＤの各負荷への給電優先度によって、各装置２のスレッショルド電圧Ｖｔｈを決定する。装置２のスレッショルド電圧Ｖｔｈが小さいほど、装置２の負荷への給電における対バスラインＢＬ電位Ｖｂ低下耐久性（バスラインＢＬ電位Ｖｂの低下に耐えて負荷に給電できる度合い）が大である。
【００４９】
したがって、負荷群ＬＤの各負荷の給電優先度の大小関係の順列は、負荷Ｌ１１及び負荷Ｌ１２＞負荷Ｌ２１及び負荷Ｌ２２＞負荷ＬＡ２１及び負荷ＬＡ２２＞負荷ＬＡ１となる。
【００５０】
バスラインＢＬ電位Ｖｂが低下又は上昇するとき、各負荷の給電優先順位に基づき設定される各装置２のスレッショルド電圧ＶｔｈとバスラインＢＬ電位Ｖｂとの関係により、各装置２が上記（１−１）、（２−１）、（３−１）、（４−１）、（５−１）、（１−２）、（２−２）、（３−２）、（４−２）、（５−２）の動作を実行する。
Ｖｂが低下するとき、スレッショルド電圧Ｖｔｈにより各装置２が自己の入力部２の入力電流を減少させ、微少にさせ、０又は無限小にさせる順は、装置Ｄ／Ａ１→Ｄ／Ａ２→Ｄ／Ｄ２→Ｄ／Ｄ１である。
逆にＶｂが上昇するとき、スレッショルド電圧Ｖｔｈにより各装置２が自己の入力部２の入力電流を減少状態、微少状態、０又は無限小状態から増加に遷移させる順は、装置Ｄ／Ｄ１→Ｄ／Ｄ２→Ｄ／Ａ２→Ｄ／Ａ１である。
これらは上記、Ｖｄｄ１＜Ｖｄｄ２＜Ｖｄａ２＜Ｖｄａ１により決定される。これも需要者の任意決定事項の一部である。
【００５１】
（１−２−３）バスラインＢＬの電位と各装置２の動作
バスラインＢＬの電位をＶｂとして、バスラインＢＬ電位Ｖｂの最大値をＶｂ２、最小値をＶｂ１とすると、Ｖｂ１≦Ｖｂ≦Ｖｂ２である。ただし、Ｖｂは左式の電位範囲におけるバスラインＢＬ電位の任意の時刻の値である。
一例として、各装置２の各スレッショルド電圧Ｖｔｈ、バスラインＢＬ電位Ｖｂの最大値Ｖｂ２及び最小値Ｖｂ１の関係は、以下のとおりである。
Ｖｂ１＜Ｖｄｄ１＜Ｖｄｄ２＜Ｖｄａ２＜Ｖｄａ１＜Ｖｂ２・・・式１。
これらは、一例であり、需要者の任意選択事項である。
Ｖｂは、Ｖｂ１からＶｄｄ１、Ｖｄｄ２、Ｖｄａ２、Ｖｄａ１、Ｖｂ２の電位範囲内で変動する。
【００５２】
ここで、バスラインＢＬ電位Ｖｂは電位であり、スレッショルド電圧Ｖｔｈは電圧である。バスラインＢＬ電位Ｖｂは、この電位と逆極性の電流路の電位を基準電位としている。各装置２のスレッショルド電圧Ｖｔｈは、該装置２の内部に如何なる電圧値として備えられようが、スレッショルド電圧ＶｔｈにおいてバスラインＢＬ電位Ｖｂと比較対象となり得る電位の基準を定め、該電圧Ｖｔｈを電位としてバスラインＢＬ電位Ｖｂと比較する。
スレッショルド電圧Ｖｔｈは電圧と称しているが、実際には、基準となる電位がバスラインＢＬ電位Ｖｂと同一であるので、スレッショルド電圧Ｖｔｈは電位でもある。
特許請求の範囲では、所定の電圧値（スレッショルド電圧Ｖｔｈ）は電位と同等に扱われている。
なお、充電装置Ｃｈの有するスレッショルド電圧Ｖｔｈについても同様である。
付記するならば、このシステムの説明では、各装置１の出力部１（蓄電部ＳＴを含む）から各装置２の入出力部２までの電流路において電位で記載し、各発電装置の出力部、各装置１の入力部１及びスレッショルド電圧Ｖｔｈを電圧として記載している。
【００５３】
「式１」の条件から、バスラインＢＬ電位Ｖｂの範囲では、装置Ｄ／Ｄ１への入力電流を減少させ、微少にさせ、０又は無限小にさせる確率は最小である。すなわち、最重要負荷Ｌ１１及びＬ１２への給電優先順位を最高位とし給電を極力保証する。
【００５４】
また、「式１」の条件から、バスラインＢＬ電位Ｖｂの範囲では、装置Ｄ／Ａ１への入力電流を減少させ、微少にさせ、０又は無限小にさせることを回避する確率は最小である。すなわち、負荷ＬＡ１は余剰電力の売電という観点から、給電優先順位を最下位と設定する。
【００５５】
これらは、需要者の任意の問題であり、あくまでも一例である。
【００５６】
負荷群ＬＤへの給電は以下のように為される。
発電装置群ＧＥの発電電力を各装置１を介してバスラインＢＬに統合し、この電力の一部又は全部を、各装置２が有するスレッショルド電圧Ｖｔｈによりそれぞれ自己に配分された電力をそれぞれ自己の配下の負荷に給電する。
発電系の総供給電力と負荷系の総消費電力との相互関係により、バスラインＢＬ電位Ｖｂは本来、自由かつ自然に変動するところ、装置２が有する制御の方法の多様性により、Ｖｂの変動は抑制され、制動され又は所定の電位で停止させられる。この制御により、各装置２への電力配分が為られ、配下の負荷への給電が決定される。
【００５７】
発電系の総供給電力は、発電装置群ＧＥの発電電力と蓄電池Ｂの電力容量、負荷系の総消費電力は、負荷群ＬＤの消費電力と蓄電池Ｂの充電充当電力により決まる。ただし、蓄電池Ｂは同時に充放電しないので、バスラインＢＬ電位Ｖｂと蓄電池Ｂの電位関係において発電系か負荷系のいずれかに属するか又はいずれにも属さない。
【００５８】
（１−２−４）バスラインＢＬ電位の制御
上記のとおり、各装置２のスレッショルド電圧Ｖｔｈはそれぞれ、Ｖｄｄ１＜Ｖｄｄ２＜Ｖｄａ２＜Ｖｄａ１で表される。
なお、後述する「（１−２−６）蓄電池Ｂ電位とバスラインＢＬ電位」では、本発明の電源供給システムＰＳＳに蓄電部ＳＴを備え、バスラインＢＬに蓄電部ＳＴを接続したときの説明をするが、ここでは、本発明の電源供給システムＰＳＳに蓄電部ＳＴを備えない、蓄電部ＳＴを備えているが蓄電池Ｂへの充電量が少ない又は蓄電池Ｂの容量が少ない場合とし、主にに太陽光発電、風力発電など、直接的な自然エネルギーが主たる電力源で各装置２及びその配下の負荷へ給電している場合について説明する。
蓄電池Ｂが適正に充電（Ｖｂ≧Ｅ２となる時が存在し充分充電されていること。Ｅ２は、蓄電池Ｂの定格電位。）され、バスラインＢＬに接続され、かつ、自然エネルギー発電電力に係るバスラインＢＬ電位Ｖｂが、Ｖｂ≦Ｅ２であるとき、Ｖｄａ２＜Ｖｂ≦Ｅ２≦Ｖｄａ１の条件において、蓄電池Ｂから各装置２（装置Ｄ／Ａ１を除く。）へ定電圧源として給電され、各装置２が有するスレッショルド電圧Ｖｔｈの働きが発生しないため、各装置２への給電の状態遷移は発生しない。
なお、この場合においても、蓄電池Ｂの充放電により微少ながらバスラインＢＬ電位Ｖｂは変動し装置２の制御の方法の多様性により、装置２の制御が働くことがあるとしても、Ｖｂが、Ｖｂ１からＶｄｄ１、Ｖｄｄ２、Ｖｄａ２、Ｖｄａ１、Ｖｂ２の電位範囲内で変動すると言うような事象は発生しない。
以下、式１を参照して説明する。
Ｖｂ１＜Ｖｄｄ１＜Ｖｄｄ２＜Ｖｄａ２＜Ｖｄａ１＜Ｖｂ２・・・式１。
Ｖｂは、Ｖｂ１からＶｄｄ１、Ｖｄｄ２、Ｖｄａ２、Ｖｄａ１、Ｖｂ２の電位範囲内で変動する。
【００５９】
各装置２の内、装置Ｄ／Ｄ２を例として説明する。バスラインＢＬに、装置Ｄ／Ｄ２（スレッショルド電圧Ｖｔｈ＝Ｖｄｄ２を有する。）が接続されてバスラインＢＬ電位Ｖｂが、Ｖｂ＞Ｖｄｄ２、であれば、装置Ｄ／Ｄ２は入力部２への電流制限を行なわず負荷Ｌ２１及びＬ２２に定格電力を供給できる。
【００６０】
上記は基本的考え方であるが、Ｖｂ＞Ｖｂｐ＞Ｖｄｄ２であっても、装置Ｄ／Ｄ２は入力部２への入力電流を減少させ、微少にさせ、０又は無限小にさせることが可能である。
ここで、Ｖｂｐは、低下する以前の電位Ｖｂが低下した現在の電位となったＶｂの値ＶｂｐでありＶｄｄ２よりも電位が高い状態を示す。すなわち、装置Ｄ／Ｄ２のスレッショルド電圧Ｖｄｄ２より高い電位範囲内でのＶｂの低下であっても、入力部２への入力電流を減少させ、微少にさせ、０又は無限小にさせ、装置２が有する制御の方法の多様性により、Ｖｂの変動は抑制され、制動され又は所定の電位で停止させられる。
【００６１】
また、Ｖｂｐ＞Ｖｂ＞Ｖｄｄ２であり、Ｖｂｐが元々の電位Ｖｂよりも高い電位状態であった場合でも装置Ｄ／Ｄ２は入力部２への入力電流を減少させ、微少にさせ、０又は無限小にさせることが可能である。すなわち、装置２のスレッショルド電圧Ｖｔｈにあまり近づかなくても、このような制御が可能である。
これは、装置２が有する制御の方法の多様性により、Ｖｂの変動は抑制され、制動され又は所定の電位で停止させられることを意味する。
【００６２】
逆に、Ｖｂ＜Ｖｄｄ２・・・（ｕ）又はＶｂ＞Ｖｂｐ（元々のＶｂより低下したＶｂ）＞Ｖｄｄ２・・・（ｖ）の状態から、（ｕ）におけるＶｂ又は（ｖ）におけるＶｂｐが上昇する場合も、装置Ｄ／Ｄ２は入力部２への入力電流を減少状態、微少状態、０又は無限小状態から増加に遷移させることが可能である。このとき、Ｖｂの変動は抑制され、制動され又は所定の電位で停止させられる。これは、装置２が有する制御の方法の多様性により実現できる。
【００６３】
これらは、装置Ｄ／Ｄ２に限らず各装置２のスレッショルド電圧ＶｔｈとバスラインＢＬ電位Ｖｂの関係についても同様である。
【００６４】
（１−２−４−１）バスラインＢＬ電位が低下する場合
以下、上記（１−２−２）負荷系の動作の概要における説明の（１−１）を例にとって説明する。
【００６５】
上記（１−１）は、装置２のスレッショルド電圧Ｖｔｈを参照した制御において基本的なものを説明する。たとえば、バスラインＢＬ電位Ｖｂが、第２のコンバータ群ＣＶ２内の装置Ｄ／Ｄ２に装置Ｄ／Ｄ２の定格の範囲の電圧、電流を供給している状態からバスラインＢＬ電位Ｖｂが低下し、装置Ｄ／Ｄ２のスレッショルド電圧ＶｔｈであるＶｄｄ２を通過して低下するとき、装置Ｄ／Ｄ２は、自己の入力部２に流入する電流を減少させ、微少にさせ、０又は無限小にさせる。
【００６６】
バスラインＢＬ電位Ｖｂが、装置Ｄ／Ｄ２に設定されたスレッショルド電圧Ｖｄｄ２を通過して低下するとき、バスラインＢＬ電位Ｖｂの制動は、装置Ｄ／Ｄ２の制御の方法の多様性により実現され、Ｖｂは、Ｖｄｄ２を通過して低下して電位のさらなる低下を停止させられる。
【００６７】
バスラインＢＬ電位Ｖｂが、スレッショルド電圧Ｖｄｄ２を通過して低下するとき、バスラインＢＬ電位Ｖｂの低下率が最小となるよう、装置Ｄ／Ｄ２の入力部２に流入する電流Ｉを減少させ、微少にさせ、０又は無限小にさせる変化率も最大に制御される。
装置Ｄ／Ｄ２の入力部２に流入する電流Ｉの低下量及び/又は減少させ、微少にさせ、０若しくは無限小にさせる変化率が大であれば、バスラインＢＬ電位Ｖｂの制動率も大となる。
【００６８】
したがって、バスラインＢＬから装置Ｄ／Ｄ２の入力部２に流入する電流を急速に減少、微少、０又は無限小に遷移させると、バスラインＢＬ電位Ｖｂの電位の低下は大きく制動される。
以下の説明では、「減少、微少、０又は無限小」を総称して単に「多様減少」と言う。
【００６９】
装置Ｄ／Ｄ２では（他の各装置２も同様）、バスラインＢＬ電位Ｖｂが、装置Ｄ／Ｄ２のスレッショルド電圧Ｖｄｄ２を通過して低下するとき、装置Ｄ／Ｄ２には自己への流入電流を多様減少させ、バスラインＢＬ電位Ｖｂの変動を制動する負帰還が働いている。
この負帰還の働き度合いすなわち、装置２が有する制御の方法の多様性により、バスラインＢＬ電位Ｖｂと各装置２のスレッショルド電圧Ｖｔｈとの離隔電位差の大小があっても、バスラインＢＬ電位Ｖｂの制動の強弱（各装置２に流入する電流量の減少の大小、電流減少率の大小に起因する現象）を制御できる。
【００７０】
すなわち、バスラインＢＬ電位Ｖｂの急激な低下を制動する。
バスラインＢＬ電位Ｖｂは低下し、装置Ｄ／Ｄ２への流入電流が多様減少することに起因し、上記負帰還の働き度合いによって、負帰還による均衡がとれたある電位に留まる。勿論、発電系の総供給電力と負荷系の総消費電力との相互関係にも起因する。
【００７１】
上記（１−１）では、バスラインＢＬ電位Ｖｂの低下が各装置２のスレッショルド電圧Ｖｔｈを通過した近傍で留まるよう制御されているが、発電系の総供給電力が不足しているときは、バスラインＢＬ電位Ｖｂはさらに低下する。
【００７２】
バスラインＢＬ電位Ｖｂが、装置Ｄ／Ｄ２のスレッショルド電圧Ｖｔｈを通過して低下した時点では、装置Ｄ／Ｄ２の入力部２に入力される電流値は多様減少する。
バスラインＢＬ電位Ｖｂの低下は、装置２が有する制御の方法の多様性及び発電系の総供給電力と負荷系の総消費電力の相互関係で決定され、バスラインＢＬ電位Ｖｂの低下程度は不定。
【００７３】
上記電流値が微少、0又は無限小のとき、装置Ｄ／Ｄ２は、バスラインＢＬに実質的に接続されていない状態である。すなわち、装置Ｄ／Ｄ２は存在しないものと等価である。
このような状況においては、装置Ｄ／Ｄ２の入力部２をバスラインＢＬから物理的に切り離しても、これに起因してバスラインＢＬ電位Ｖｂは変動する要素がない。
すなわち、負荷系を切り離すこと又は負荷への給電を停止することにより、バスラインＢＬ電位Ｖｂの再上昇は発生しない。
実運用では、バスラインＢＬへの給電を停止することなく装置Ｄ／Ｄ２をバスラインＢＬから物理的に切り離すことが必要でもある。
【００７４】
次に、バスラインＢＬに、装置Ｄ／Ｄ２及び装置Ｄ／Ｄ１が接続されているとき、バスラインＢＬ電位Ｖｂが、装置Ｄ／Ｄ２のスレッショルド電圧Ｖｄｄ２を通過し、さらに低下すると、Ｖｄｄ１＜Ｖｄｄ２の関係から、装置Ｄ／Ｄ１に設定されたスレッショルド電圧Ｖｔｈ（＝Ｖｄｄ１）がバスラインＢＬ電位Ｖｂの下限値を保持すべく動作において支配的となる。
さらに、バスラインＢＬ電位Ｖｂが低下する場合は、装置２のスレッショルド電圧Ｖｔｈのさらに低いものが支配的となる。
【００７５】
支配的とは、たとえば、装置Ｄ／Ｄ２が有する制御の方法の多様性よる制動の働きがあっても、この制動の力がバスラインＢＬ電位Ｖｂの低下を停止できず、ＶｂがＶｄｄ２を下回ってさらに低下した場合、装置Ｄ／Ｄ１が有する制御の方法の多様性働きにより、バスラインＢＬ電位Ｖｂを、Ｖｄｄ１≒Ｖｂ＜Ｖｄｄ２の範囲に留まらせるか、少なくとも装置Ｄ／Ｄ１の定格入力電位範囲（Ｖｂ＞Ｖｄｄ１）に留まらせることを意味する。又は、装置Ｄ／Ｄ１の定格入力電位範囲に留まらせることができなくとも、さらに優先度の高い負荷に給電している第２のコンバータ群ＣＶ２内の装置Ｄ／Ｄ０（図示なし。Ｖｄｄ０＜Ｖｄｄ１）が有する制御の方法の多様性働きにより、Ｖｂを、Ｖｂ≒Ｖｄｄ０程度に留まらせることも意味する。これらは一例であり、この例に拘束されない。Ｖｄｄ０は、装置Ｄ／Ｄ０のスレッショルド電圧Ｖｔｈ
【００７６】
このように、各装置２は、それぞれ自己の入力部２への入力電位がスレッショルド電圧Ｖｔｈを通過して低下するとき、当該入力部２への入力電流を多様減少させ、これに伴い自己の出力電力を多様減少させ、バスラインＢＬ電位Ｖｂの低下を制動すべく負帰還を働かせている。
すなわち、バスラインＢＬ電位Ｖｂの低下を制動し、自己のスレッショルド電圧Ｖｔｈを下回る電位の近傍にバスラインＢＬ電位Ｖｂを保持すべく動作する。このとき、当該装置２は定格電位の範囲未満の電位で動作し又は動作しない。
【００７７】
この例では、装置Ｄ／Ｄ１、装置Ｄ／Ｄ２及び装置Ｄ／Ｄ０（図示なし）がバスラインＢＬに接続されているが、以上のような各装置２の制御の方法の多様性の働きにより、装置Ｄ／Ｄ２への給電が絶たれても、バスラインＢＬ電力の負荷負担（装置Ｄ／Ｄ２による負荷への給電）解放によるバスラインＢＬ電位の再上昇は存在しない。
すなわち、バスラインＢＬ電位Ｖｂの再上昇はなく、装置Ｄ／Ｄ２への給電が再開されることはない。
【００７８】
この現象は、装置Ｄ／Ｄ２への給電電流の多様減少に至る過程において、バスラインＢＬ電位Ｖｂが、装置Ｄ／Ｄ２に設定されているスレッショルド電圧Ｖｔｈ（＝Ｖｄｄ２）を上方に超えて上昇するに及ばない程度に、装置Ｄ／Ｄ１及び装置Ｄ／Ｄ０が負荷Ｌ１１、Ｌ１２、負荷Ｌ０（定格入力の範囲以下の場合がある。）への給電のために発電系の供給電力を入力しているためである。すなわち、Ｖｂはある電位に留まって上昇は不可能となる。
【００７９】
この場合、バスラインＢＬ電位Ｖｂ＞Ｖｄｄ１で、装置Ｄ／Ｄ１が負荷Ｌ１１、Ｌ１２に定格電力を供給している。
【００８０】
いま、装置Ｄ／Ｄ１及び装置Ｄ／Ｄ２の例をとって説明したが、すべての装置２が「式１」の規律に従い同様の動作をする。このようにして優先下位順に装置２への給電が多様減少し、当該装置２から給電を受けていた負荷への給電は多様減少される。
【００８１】
上記の説明においてはバスラインＢＬ電位Ｖｂが低下した場合の例を説明したが、バスラインＢＬ電位Ｖｂの変動は、発電系の総供給電力の変動及び／又は負荷系の総消費電力の変動において、低下又は上昇の現象として発生する。
したがって、発電系の総供給電力より負荷系の総消費電力が大きくなった場合バスラインＢＬ電位Ｖｂは低下するが、逆に発電系の総供給電力が負荷系の総消費電力（供給電流を多様減少されている負荷系を含む。）より大きくなった場合バスラインＢＬ電位Ｖｂは上昇する。
【００８２】
（１−２−４−２）バスラインＢＬ電位が上昇する場合
以下、上記（１−２−２）負荷系の動作の概要における説明の（１−２）を例にとって説明する。
【００８３】
上記（１−２）は、装置２のスレッショルド電圧Ｖｔｈを参照した制御において基本的なものを説明する。、たとえば、バスラインＢＬ電位Ｖｂが、第２のコンバータ群ＣＶ２内の装置Ｄ／Ｄ２に装置Ｄ／Ｄ２の定格の範囲の電圧、電流を供給していないＶｂが低下している状態から、バスラインＢＬ電位Ｖｂが上昇し、装置Ｄ／Ｄ２のスレッショルド電圧ＶｔｈであるＶｄｄ２を通過して上昇するとき、装置Ｄ／Ｄ２は、自己の入力部２に流入する電流を減少させ、微少にさせ、０又は無限小にさせた状態から、増加に遷移させる。
【００８４】
バスラインＢＬ電位Ｖｂが、装置Ｄ／Ｄ２に設定されたスレッショルド電圧Ｖｄｄ２を通過して上昇するとき、バスラインＢＬ電位Ｖｂの制動は、装置Ｄ／Ｄ２の制御の方法の多様性により実現され、Ｖｂは、Ｖｄｄ２を通過して上昇して電位のさらなる上昇を停止させられる。
【００８５】
バスラインＢＬ電位Ｖｂが、スレッショルド電圧Ｖｄｄ２を通過して上昇するとき、バスラインＢＬ電位Ｖｂの上昇率が最小となるよう、装置Ｄ／Ｄ２の入力部２に流入する電流Ｉを減少させ、微少にさせ、０又は無限小にさせた状態から、増加に遷移させる変化率も最大に制御される。
装置Ｄ／Ｄ２の入力部２に流入する電流Ｉの増加量及び/又は減少させ、微少にさせ、０又は無限小にさせた状態から、増加に遷移させる変化率が大であれば、バスラインＢＬ電位Ｖｂの制動率も大となる。
【００８６】
したがって、バスラインＢＬから装置Ｄ／Ｄ２の入力部２に流入する電流を減少させ、微少にさせ、０又は無限小にさせた状態から、急速に増加に遷移させると、バスラインＢＬ電位Ｖｂの電位の上昇は大きく制動される。
以下の説明では、「減少、微少、０又は無限小から増加」を総称して単に「多様増加」と言う。
【００８７】
装置Ｄ／Ｄ２では（他の各装置２も同様）、バスラインＢＬ電位Ｖｂが、装置Ｄ／Ｄ２のスレッショルド電圧Ｖｄｄ２を通過して上昇するとき、装置Ｄ／Ｄ２には自己への流入電流を多様増加させ、バスラインＢＬ電位Ｖｂの変動を制動する負帰還が働いている。
この負帰還の働き度合いすなわち、装置２が有する制御の方法の多様性により、バスラインＢＬ電位Ｖｂと各装置２のスレッショルド電圧Ｖｔｈとの離隔電位差の大小があっても、バスラインＢＬ電位Ｖｂの制動の強弱（各装置２に流入する電流量の増加の大小、電流増加率の大小に起因する現象）を制御できる。
【００８８】
すなわち、バスラインＢＬ電位Ｖｂの急激な上昇を制動する。
バスラインＢＬ電位Ｖｂは上昇し、装置Ｄ／Ｄ２への流入電流が多様増加することに起因し、上記負帰還の働き度合いによって、負帰還による均衡がとれたある電位に留まる。勿論、発電系の総供給電力と負荷系の総消費電力との相互関係にも起因する。
【００８９】
上記（１−２）では、バスラインＢＬ電位Ｖｂの上昇が各装置２のスレッショルド電圧Ｖｔｈを通過した近傍を超えて、装置Ｄ／Ｄ２への供給電位、電流値が装置Ｄ／Ｄ２の定格の範囲を満足して留まるよう制御されているが、発電系の総供給電力が充分大きいときは、バスラインＢＬ電位Ｖｂはさらに上昇する。
【００９０】
バスラインＢＬ電位Ｖｂが、装置Ｄ／Ｄ２のスレッショルド電圧Ｖｔｈを通過して上昇した時点では、装置Ｄ／Ｄ２の入力部２に入力される電流値は多様増加する。
バスラインＢＬ電位Ｖｂの低下は、装置２が有する制御の方法の多様性及び発電系の総供給電力と負荷系の総消費電力の相互関係で決定され、バスラインＢＬ電位Ｖｂの上昇程度は不定。
【００９１】
次に、バスラインＢＬに、装置Ｄ／Ｄ２及び装置Ｄ／Ａ２が接続されているとき、バスラインＢＬ電位Ｖｂが、装置Ｄ／Ｄ２のスレッショルド電圧Ｖｄｄ２を通過し、さらに上昇すると、Ｖｄｄ２＜Ｖｄａ２の関係から、装置Ｄ／Ａ２に設定されたスレッショルド電圧Ｖｔｈ（＝Ｖｄａ２）がバスラインＢＬ電位Ｖｂの上限値を保持すべく動作において支配的となる。
さらに、バスラインＢＬ電位Ｖｂが上昇する場合は、装置２のスレッショルド電圧Ｖｔｈのさらに高いものが支配的となる。
【００９２】
支配的とは、たとえば、装置Ｄ／Ｄ２が有する制御の方法の多様性よる制動の働きがあっても、この制動の力がバスラインＢＬ電位Ｖｂの上昇を停止できず、ＶｂがＶｄｄ２を上回ってさらに上昇した場合、装置Ｄ／Ａ２が有する制御の方法の多様性働きにより、バスラインＢＬ電位Ｖｂを、Ｖｄａ２≒Ｖｂ＞Ｖｄｄ２の範囲に留まらせるか、少なくとも装置Ｄ／Ａ２の定格入力電位範囲（Ｖｄａ１＞Ｖｂ＞Ｖｄａ２）に留まらせることを意味する。又は、装置Ｄ／Ａ２の定格入力電位範囲に留まらせることができなくとも、さらに優先度の低い負荷に給電している第２のコンバータ群ＣＶ２内の装置Ｄ／Ａ１（Ｖｄａ１＞Ｖｄａ２）が有する制御の方法の多様性働きにより、Ｖｂを、Ｖｂ≒Ｖｄａ１程度に留まらせることも意味する。これらは一例であり、この例に拘束されない。
【００９３】
このように、各装置２は、それぞれ自己の入力部２への入力電位がスレッショルド電圧Ｖｔｈを通過して上昇するとき、当該入力部２への入力電流を多様増加させ、これに伴い自己の出力電力を多様増加させ、バスラインＢＬ電位Ｖｂの上昇を制動すべく負帰還を働かせている。
すなわち、バスラインＢＬ電位Ｖｂの上昇を制動し、自己のスレッショルド電圧Ｖｔｈを上回る電位の近傍にバスラインＢＬ電位Ｖｂを保持すべく動作する。このとき、当該装置２は定格電位の範囲の電位で動作する。
【００９４】
この例では、装置Ｄ／Ｄ２、装置Ｄ／Ａ２及び装置Ｄ／Ａ１がバスラインＢＬに接続されているが、以上のような各装置２の制御の方法の多様性の働きにより、装置Ｄ／Ｄ２への給電が為されても、バスラインＢＬ電力の負荷負担（装置Ｄ／Ｄ２による負荷への給電）によるバスラインＢＬ電位の再低下は存在しない。
すなわち、バスラインＢＬ電位Ｖｂの再低下はなく、装置Ｄ／Ｄ２への給電が停止されることはない。
【００９５】
この現象は、装置Ｄ／Ｄ２への給電電流の多様増加に至る過程において、バスラインＢＬ電位Ｖｂが、装置Ｄ／Ｄ２に設定されているスレッショルド電圧Ｖｔｈ（＝Ｖｄｄ２）を下方超えて低下するに及ばない程度に、装置Ｄ／Ａ２及び装置Ｄ／Ａ１が負荷ＬＡ２１、ＬＡ２２、負荷ＬＡ１への給電を多様減少するため。すなわち、Ｖｂはある電位に留まって低下は不可能となる。
【００９６】
この場合、バスラインＢＬ電位Ｖｂ＞Ｖｄｄ２で、装置Ｄ／Ｄ２が負荷Ｌ２１、Ｌ２２に定格電力を供給している。
【００９７】
いま、装置Ｄ／Ｄ１及び装置Ｄ／Ｄ２の例をとって説明したが、すべての装置２が「式１」の規律に従い同様の動作をする。このようにして優先上位順に装置２への給電が多様増加し、当該装置２から給電を受けていた負荷への給電は多様増加される。
【００９８】
上記の説明においてはバスラインＢＬ電位Ｖｂが上昇した場合の例を説明したが、バスラインＢＬ電位Ｖｂの変動は、発電系の総供給電力の変動及び／又は負荷系の総消費電力の変動において、低下又は上昇の現象として発生する。
したがって、発電系の総供給電力より負荷系の総消費電力が大きくなった場合バスラインＢＬ電位Ｖｂは低下するが、逆に発電系の総供給電力が負荷系の総消費電力（供給電流を多様減少されている負荷系を含む。）より大きくなった場合バスラインＢＬ電位Ｖｂは上昇する。
【００９９】
（１−２−４−３）バスラインＢＬ電位変動のまとめ
このように、装置２の負帰還動作は、バスラインＢＬ電位Ｖｂが低下するときも、バスラインＢＬ電位Ｖｂが上昇するときも、対称的である。
すなわち、バスラインＢＬ電位Ｖｂが、装置２のスレッショルド電圧Ｖｔｈを通過して低下／上昇するとき、装置２がバスラインＢＬ電位Ｖｂを一定に保持するため、自己への流入電流を多様減少／多様増加する。
【０１００】
以上は（１−２−２）負荷系の動作の概要における（１−１）及び（１−２）を主に説明したが、その他（２−１）〜（５−２）は、装置２が有する制御の方法の多様性のバリエーションであり、バスラインＢＬ電位Ｖｂを、バスラインＢＬ電位Ｖｂがどの程度の電位から制動するかの需要者の選択を記載したものであり、以下に記載する従来技術を使用した「負荷への給電／非給電に伴うバスラインＢＬ電位Ｖｂの離散的変動」を制動する効果は同様である。
（２−１）は、バスラインＢＬ電位Ｖｂが低下する過程で、装置２が有するスレッショルド電圧Ｖｔｈの境界近傍に差し掛かるのであるから、電圧Ｖｔｈを電位として電位Ｖｂと比較する。したがって、電圧Ｖｔｈの境界とは、この電位の上下を分ける電位境界線とも言える。すなわち、境界近傍とは境界線の上下を含む。電位Ｖｂがここに差し掛かるのであるから、電位Ｖｂは、電圧Ｖｔｈから発生する電位の上下のいずれをも意味する。
なお、バスラインＢＬ電位Ｖｂは、スレッショルド電圧Ｖｔｈより、ある程度高い電位から低下するものである。
（２−２）も同様であるが、相違点は、（２−１）において、バスラインＢＬ電位Ｖｂがスレッショルド電圧Ｖｔｈから発生する電位の境界近傍からではなく、これよりある程度高い電位から低下する事象に対して、（２−２）においては、電圧Ｖｔｈから発生する電位の境界近傍からではなく、これよりもある程度低い電位から上昇し、電圧Ｖｔｈの境界近傍に差し掛かる事象である。
（３−１）は、バスラインＢＬ電位Ｖｂが低下する過程で、装置２が有するスレッショルド電圧Ｖｔｈ接近し、さらに電圧Ｖｔｈ（所定の電圧値）に漸近するのであるから、電圧Ｖｔｈを電位として電位Ｖｂと比較する。したがって、電圧Ｖｔｈに漸近するとは、この電位に限りなく接近するが接しないことを意味する。
なお、バスラインＢＬ電位Ｖｂは、スレッショルド電圧Ｖｔｈより、ある程度高い電位から低下するものである。
（３−２）も同様であるが、相違点は、（３−１）において、バスラインＢＬ電位Ｖｂがスレッショルド電圧Ｖｔｈから発生する電位に限りなく接近している状態からではなく、これよりある程度高い電位から低下する事象に対して、（３−２）においては、電圧Ｖｔｈから発生する電位に限りなく接近している状態からではなく、これよりもある程度低い電位から上昇し、接近し、さらに電圧Ｖｔｈに漸近する事象である。
（４−１）は、バスラインＢＬ電位Ｖｂが低下する過程で、装置２が有するスレッショルド電圧Ｖｔｈ接近するとき、電圧Ｖｔｈを電位として電位Ｖｂと比較する。したがって、電圧Ｖｔｈ接近するときとは、この電位に単に接近することを意味する。すなわち、ＶｂはＶｔｈに接しない範囲で、近づく程度を問はないことを意味する。
なお、バスラインＢＬ電位Ｖｂは、スレッショルド電圧Ｖｔｈに接近している状態より、離隔したある程度高い電位から低下するものである。
（４−２）も同様であるが、相違点は、（４−１）において、バスラインＢＬ電位Ｖｂがスレッショルド電圧Ｖｔｈから発生する電位に接近していない離隔した高い電位状態から低下する事象に対して、（４−２）においては、電圧Ｖｔｈから発生する電位に接近していない離隔した低い電位状態から上昇し接近するときの事象である。
（５−１）は、バスラインＢＬ電位Ｖｂが低下する過程で、装置２が有するスレッショルド電圧Ｖｔｈ接近を開始するとき、電圧Ｖｔｈを電位として電位Ｖｂと比較する。したがって、電圧Ｖｔｈ接近を開始するときとは、この電位に単に接近を開始することを意味する。すなわち、ＶｂはＶｔｈに近づく程度は問はなく、Ｖｂが低下しようとする初期の段階を意味する。したがって、Ｖｂが低下しようとしても強力な負帰還により、Ｖｂの低下に制動を受け低下しない場合を含む。
なお、バスラインＢＬ電位Ｖｂは、スレッショルド電圧Ｖｔｈに接近している状態より、離隔したある程度高い電位から低下するものである。
（５−２）も同様であるが、相違点は、（５−１）において、バスラインＢＬ電位Ｖｂがスレッショルド電圧Ｖｔｈから発生する電位に接近していない離隔した高い電位状態から低下しようとするか又はする事象に対して、（５−２）においては、電圧Ｖｔｈから発生する電位に接近していない離隔した低い電位状態から上昇しようとするか又はする事象である。
上記（４−１）、（４−２）、（５−１）及び（５−２）は、バスラインＢＬ電位Ｖｂは、ある装置２のスレッショルド電圧Ｖｔｈよりある程度離隔しているので、別の装置２のスレッショルド電圧Ｖｔｈからも影響をうける事象がある。すなわち、複数の装置２のスレッショルド電圧Ｖｔｈの影響を受け、該当する装置２は自己に入力する電流を減少させ、微少にさせ、０若しくは無限小にさせ、バスラインＢＬ電位Ｖｂの変動を制動する。
このような事象を含み、（１−１）〜（５−２）において、Ｖｂが低下する過程で、装置２は、自己に供する電流を減少させ、微少にさせ、０若しくは無限小にさせ、又は、Ｖｂが上昇する過程で、装置２は、自己に供する電流を減少状態、微少状態、０若しくは無限小状態から増加に遷移させ、バスラインＢＬ電位Ｖｂの変動を制動する。
【０１０１】
本発明は、装置２が有するスレッショルド電圧Ｖｔｈによる制御の方法の多様性で、装置２が、自己の電流を減少させ、微少にさせ、０若しくは無限小にさせ、又は、
自己の電流を減少状態、微少状態、０若しくは無限小状態から増加に遷移させバスラインＢＬ電位Ｖｂの変動抑制し、制動し又は所定の電位で停止させるものである。
装置２が有するスレッショルド電圧Ｖｔｈによる制御の方法の多様性とは、制御の方法において、ＶｂをＸ軸、ＩｉｎをＹ軸にとった場合のＶｂの変化に対するＩｉｎの変化を表す直線又は曲線の形状、傾き等を決める負帰還で行なうものであり、この負帰還回路に純抵抗素子を直列に介在させると、直線状制御で、抵抗素子の抵抗値の大小で直線の傾きを決め、容量素子と抵抗素子の並列接続回路を直列に介在させると、立ち上がりの速い曲線制御となり、容量素子を対接地並列に介在させると、立ち上がりの緩やかな曲線制御特性となり、容量素子は誘導素子に置き換え前記特性を逆にし、容量素子、誘導素子のインピーダンスを変え、純抵抗素子の抵抗値を変え、その他、折れ線状の曲線はダイオード等の特性を利用し、多様な制御を可能とする。この制御の結果、Ｉｉｎの変化量／変化速度により、Ｖｂの変動を多様に制動することができる。
【０１０２】
したがって、バスラインＢＬ電位Ｖｂが、装置Ｄ／Ｄ２のスレッショルド電圧Ｖｔｈを超えて上昇するとき、装置Ｄ／Ｄ２及び装置Ｄ／Ａ２のスレッショルド電圧Ｖｔｈをあっさり超えて、装置Ｄ／Ａ２まで一時的に給電動作させ、この負荷負担によりリバウンドし、装置Ｄ／Ａ２を再び非給電状態とすることはない。
もちろん、このとき発電系の総供給電力が充分な状態に遷移していれば、バスラインＢＬ電位Ｖｂがある値の状態で、装置Ｄ／Ａ２は給電動作をそのまま継続する。
【０１０３】
また、バスラインＢＬ電位Ｖｂが低下するとき、装置Ｄ／Ｄ２のスレッショルド電圧Ｖｔｈを超えて低下し、装置Ｄ／Ｄ２及び装置Ｄ／Ｄ１のスレッショルド電圧Ｖｔｈをあっさり割り込み、装置Ｄ／Ｄ１まで一時的に非給電動作させ、この負荷負担解放によりリバウンドし、装置Ｄ／Ｄ１を再び給電状態とすることはない。
もちろん、このとき発電系の総供給電力が不充分な状態に遷移していれば、バスラインＢＬ電位Ｖｂがある値の状態で、装置Ｄ／Ｄ１は給電停止動作をそのまま継続する。
【０１０４】
以上のようにバスラインＢＬ電位Ｖｂは、離散的な電位変化が為されないよう各装置２により制御されている。このため、従来技術を使用した場合の、負荷への給電／非給電の継続的反復動作、いわゆる負荷給電／非給電のバタ付きは発生しない。
【０１０５】
従来技術のコンピュータ制御による「電力−負荷」網のディジタル切り替えでは、給電状態にある負荷系への一部への給電が停止され、これに起因するリバウンドにより同負荷に再給電され、又は、非給電状態にある負荷系への一部への給電が開始され、これに起因するリバウンドにより同負荷が再非給電されるという、バスラインＢＬ電位Ｖｂの離散的変動に起因する負荷系の動作／非動作の継続的反復動作が発生するいわゆる負荷系動作のバタ付きは不可避であった。
【０１０６】
（１−２−５）負荷系の活線挿抜
負荷系又は負荷の活線挿抜は、バスラインＢＬからの急激な電流の増大／減少を発生させる原因と成り得るので、通常はバスラインＢＬ電位も大きく変動する要因となる。
この場合でも、上記の説明のとおり、バスラインＢＬ電位Ｖｂは連続的に滑らかに変動する。
Ｖｂ１＜Ｖｄｄ１＜Ｖｄｄ２＜Ｖｄａ２＜Ｖｄａ１＜Ｖｂ２・・・式１。
以下、式１を参照して説明する。
【０１０７】
（１−２−５−１）挿入
式１において、Ｖｄｄ２＜Ｖｄａ２＜Ｖｂの状態で、装置Ｄ／Ｄ２及び装置Ｄ／Ａ２が配下の負荷に定格電力を給電しているとき、装置Ｄ／Ｄ１（負荷Ｌ１１及びＬ１２が接続されている。）がバスラインＢＬに接続されたとする。
バスラインＢＬ電位Ｖｂは低下するが、（１）Ｖｄａ２＜Ｖｂ、（２）Ｖｄａ２≒Ｖｂ、（３）Ｖｄａ２＞Ｖｂのいずれかの状態に遷移する。
もちろん、Ｖｄｄ２＞Ｖｂの場合もあるが割愛する。
これらは、各装置２のスレッショルド電圧Ｖｔｈの差、バスラインＢＬ電位Ｖｂの変動の大きさによる。
【０１０８】
（１）の場合は、既存に接続されている装置２の切り替わりは発生しない。
（２）の場合は、バスラインＢＬ電位Ｖｂが、装置Ｄ／Ａ２のスレッショルド電圧Ｖｔｈの境界近傍に差し掛かるとき、Ｖｔｈに漸近するとき、電位Ｖｂの低下は制動される。これは、上記で説明したとおり、装置Ｄ／Ａ２が自己への入力電流を多様減少させるためである。
【０１０９】
（３）の場合も、電位Ｖｂの低下を制動させられるが、Ｖｂが装置Ｄ／Ａ２のスレッショルド電圧Ｖｔｈを通過して低下するとき、Ｖｄａ２＞Ｖｂとなる。
このようにして、バスラインＢＬ電位Ｖｂが元来落ち着く電位に連続的に滑らかに変動し遷移する。バスラインＢＬ電位Ｖｂが遷移した状態の電位を、電位Ｖｂの過度な低下超過としての電位のリバウンドは発生しない。
【０１１０】
（１−２−５−２）抜取
次に、Ｖｄｄ１＜Ｖｄｄ２＜Ｖｂ＜Ｖｄａ２の状態で、装置Ｄ／Ａ２は非給電、装置Ｄ／Ｄ１及び装置Ｄ／Ｄ２が配下の負荷に定格電力を給電しているとき、装置Ｄ／Ｄ１（負荷Ｌ１１及びＬ１２が接続されている。）がバスラインＢＬから非接続されたとする。
バスラインＢＬ電位Ｖｂは上昇するが、（４）Ｖｄａ２＞Ｖｂ、（５）Ｖｄａ２≒Ｖｂ、（６）Ｖｄａ２＜Ｖｂのいずれかの状態に遷移する。
もちろん、Ｖｄａ１＜Ｖｂの場合もあるが割愛する。
これらは、各装置２のスレッショルド電圧Ｖｔｈの差、バスラインＢＬ電位Ｖｂの変動の大きさによる。
【０１１１】
（４）の場合は、既存に接続されている装置２の切り替わりは発生しない。
（５）の場合は、バスラインＢＬ電位Ｖｂが、装置Ｄ／Ａ２のスレッショルド電圧Ｖｔｈを通過して上昇するとき、、電位の上昇を制動される。これは、上記で説明したとおり、装置Ｄ／Ａ２が自己への入力電流を多様増加させるためである。
【０１１２】
（６）の場合も、電位Ｖｂの上昇を制動させられるが、Ｖｂが装置Ｄ／Ａ２のスレッショルド電圧Ｖｔｈを通過して上昇するとき、電位の上昇を制動させられるが、Ｖｄａ２＜Ｖｂとなる。
このようにして、バスラインＢＬ電位Ｖｂが元来落ち着く電位に連続的に滑らかに変動し遷移する。バスラインＢＬ電位Ｖｂが遷移した状態の電位を、電位Ｖｂの過度な上昇超過としての電位のリバウンドは発生しない。
【０１１３】
すなわち、バスラインＢＬ電位Ｖｂが離散的変動をしないため、負荷系の動作／非動作の継続的反復が発生しない、いわゆる負荷系動作のバタ付きはない。
【０１１４】
（１−２−６）蓄電池Ｂ電位とバスラインＢＬ電位
以下は、蓄電部ＳＴを本発明の電源供給システムＰＳＳに備えた場合を説明する。
蓄電池Ｂが適切に充電されている場合、蓄電池Ｂ電位の任意の値をＥとすると、Ｅは、Ｅ１≦Ｅ≦Ｅ２の電位範囲をとる。この電位Ｅは、蓄電池ＢがバスラインＢＬに接続されている状態である。
電位Ｅ１は蓄電池Ｂが放電可能な最低電位であり、電位Ｅ２は蓄電池Ｂの定格電位である。この電位Ｅ１は、蓄電池Ｂの性能・規格等によるが需要者が任意に決定できる事項の一部である。
【０１１５】
ここで、説明の便宜上、バスラインＢＬ電位Ｖｂと蓄電池Ｂ電位Ｅを以下のように区分する。Ｖｂ１＝Ｅ１は、発電装置群ＧＥの発電出力によるバスラインＢＬ電位Ｖｂが蓄電池Ｂ電位Ｅの最低電位Ｅ１と同電位である場合である。
Ｖｂ１＝Ｅ１＜Ｅ１＋α＜Ｅ２＜Ｅ２＋β＜Ｖｂ２・・・式２
α、βは、以下の動作設定基準電位として定め、α、β＜Ｅ１、Ｅ２である。
充電装置Ｃｈのスレッショルド電圧ＶｔｈをＶｃとし、Ｖｃ＞Ｅ１＋αと設定される。系統への送電に係る装置Ｄ／Ａ１のスレッショルド電圧Ｖｔｈ（＝Ｖｄａ１）は、Ｖｄａ１≧Ｅ２＋βと設定される。
充電装置Ｃｈは定電流充電するため、Ｖｃは装置２のスレッショルド電圧Ｖｔｈに起因する機能とは相違し、単に、Ｖｃ＞Ｅ１＋αのとき充電するための参照電圧である。
【０１１６】
（α）Ｖｂ＞Ｅ１＋α・・・充電装置Ｃｈが蓄電池Ｂを充電可能な１条件
（β）Ｖｂ＞Ｅ２＋β・・・負荷ＬＡ１が系統に送電可能な条件
【０１１７】
（Ａ）蓄電池Ｂが充電される条件  
蓄電池Ｂの電位ＥとバスラインＢＬの電位Ｖｂとの関係が、Ｅ１＋α＜Ｖｂ、かつ、
Ｅ≦Ｅ２のとき。
（Ｂ）蓄電池Ｂが放電される条件
蓄電池Ｂの電位ＥとバスラインＢＬの電位Ｖｂとの関係が、Ｅ≧Ｖｂのとき。
（Ｃ）蓄電池Ｂが充放電されない条件
蓄電池Ｂが満充電で充電装置Ｃｈが充電停止、かつ、Ｖｂ＞Ｅで放電不可のとき。
【０１１８】
蓄電部ＳＴを本発明の電源供給システムＰＳＳに備え蓄電池Ｂの最低電位Ｅ１において、式１を変形し下式とする。
下式（式１の変形）は、装置Ｄ／Ｄ１、装置Ｄ／Ｄ２、装置Ｄ／Ａ１のスレッショルド電圧Ｖｔｈを蓄電池Ｂの最低電位Ｅ１未満としている。これは、自然エネルギー発電電力によってバスラインＢＬに供する電位が蓄電池Ｂの最低電位Ｅ１に満たないとき、この電位Ｅ１により、各装置２（装置Ｄ／Ａ１を除く。）に給電する事象である。
Ｖｄｄ１＜Ｖｄｄ２＜Ｖｄａ２＜Ｖｂ１＝Ｅ１＜Ｖｄａ１＜Ｖｂ２・・・式１の変形。
これら、（α）、（β）、式１の変形及び式２を合成すると、式３が考えられる。
Ｖｄｄ１＜Ｖｄｄ２＜Ｖｄａ２＜Ｖｂ１＝Ｅ１＜Ｅ１＋α＜Ｅ２＜Ｅ２＋β≦Ｖｄａ１＜Ｖｂ２・・・式３。この式３も需要者の任意選択事項である。
式３は、本発明の電源供給システムの動作を総合して表す電位の一例である。
この電位により、負荷群ＬＤへの給電／給電停止、蓄電池Ｂの充放電を制御する。
【０１１９】
Ｅ１は蓄電池Ｂの最低電位であるが、蓄電池Ｂがこの電位Ｅ１において放電し、各装置２（装置Ｄ／Ａ１を除く。）に給電すると、やがて蓄電池Ｂの電位Ｅが放電終止電位Ｅ０まで低下し、Ｅ０＝Ｖｂ１＜Ｖｄｄ１＜Ｅ１の状態で、各装置２への電流が減少し、微少し、０若しくは無限小となり、各負荷への給電が困難又は不可能となる。
この状態に至るまでに、Ｖｄａ２→Ｖｄｄ２→Ｖｄｄ１の順に給電されなくなる。
ただし、放電終止電位Ｅ０（放電を人為的に停止する電位）は、蓄電池製造者が推奨する値でもあるが、需要者の裁量にもよる。
これは、自然エネルギー発電電力に係るバスラインＢＬ電位Ｖｂが、Ｅ１、Ｅ０に満たない事象が継続した場合である。
【符号の説明】
【０１２０】
ＣＶ１                  第１のコンバータ群
ＣＶ２                  第２のコンバータ群
ＳＴ                    蓄電部
ＯＲＤ                  ダイオード群
Ｄ１〜Ｄ５              整流素子
ＢＬ                    バスライン（母線）
Ｄ／Ｄ＃１、Ｄ／Ｄ＃２  第１直流電圧変換装置
Ａ／Ｄ＃１、Ａ／Ｄ＃２  第１交流直流電圧変換装置
Ｄ／Ｄ１、Ｄ／Ｄ２      第２直流電圧変換装置
Ｄ／Ａ１、Ｄ／Ａ２      第２直流交流電圧変換装置
Ｂ                      蓄電池
Ｃｈ                    充電装置
Ｇ１〜Ｇ４              発電装置
ＬＤ                    負荷群
ＬＡ１〜ＬＡ２２        負荷
Ｌ１１〜Ｌ２２          負荷
【図１】
2012165615.tif 000003
【手続補正書】
【提出日】平成23年11月7日(2011.11.7)
【手続補正１】
【補正対象書類名】明細書
【補正対象項目名】０００４
【補正方法】変更
【補正の内容】
【０００４】
【特許文献１】特開２０１０−１７８４５５号公報